【手続補正書】
【提出日】平成21年12月25日(2009.12.25)
【手続補正１】
【補正対象書類名】特許請求の範囲
【補正対象項目名】全文
【補正方法】変更
【補正の内容】
【特許請求の範囲】
【請求項１】
電源線と、
一端が走査線駆動回路に接続された走査線と、
前記走査線の他端に接続され、少なくとも１つのスイッチング素子を有する走査線補助回路と、を有し、
前記走査線駆動回路により前記走査線の信号電位が変化するとき、前記走査線の信号電位により前記スイッチング素子を制御することで、前記スイッチング素子を介して前記電源線と前記走査線を導通させることを特徴とする表示装置。
【請求項２】
請求項１において、
前記走査線駆動回路により供給される信号電位と前記電源線の電位は等しいことを特徴とする表示装置。
【請求項３】
電源線と、
第１の走査線駆動回路と、
第２の走査線駆動回路と、
走査線と、
スイッチング素子と、を有し、
前記走査線の一端は、前記第１の走査線駆動回路に接続され、
前記走査線の他端は、前記スイッチング素子を介して前記電源線に接続されており、
前記第１の走査線駆動回路により前記走査線の信号電位が変化するとき、前記走査線の信号電位又は前記第２の走査線駆動回路の信号電位により前記スイッチング素子を制御することで、前記走査線を前記電源線と導通させることを特徴とする表示装置。
【請求項４】
電源線と、
一端が第１の走査線駆動回路に接続された第１の走査線と、
一端が第２の走査線駆動回路に接続された第２の走査線と、
前記第１の走査線の他端に接続され、少なくとも１つのスイッチング素子を有する走査線補助回路と、を有し、
前記第１の走査線駆動回路により前記第１の走査線の信号電位が変化するとき、前記第１の走査線の信号電位の反転電位と、前記第２の走査線駆動回路により供給される前記第２の走査線の信号電位とにより前記スイッチング素子を制御することで、前記スイッチング素子を介して前記電源線と前記第１の走査線を導通させることを特徴とする表示装置。
【請求項５】
電源線と、
一端が第１の走査線駆動回路に接続された第１の走査線と、
一端が第２の走査線駆動回路に接続された第２の走査線と、
前記第１の走査線の他端に接続され、少なくとも１つのスイッチング素子を有する走査線補助回路と、
電流供給線と発光素子の間に直列に接続された駆動トランジスタと、
一方の電極が前記駆動トランジスタのゲート電極と接続され、他方の電極が前記電流供給線と接続された保持容量と、
前記第１の走査線とゲート電極が接続され、前記電流供給線とソース電極又はドレイン電極の一方の電極が接続されたリセットトランジスタと、
前記第２の走査線とゲート電極が接続され、前記リセットトランジスタの他方の電極と前記保持容量の一方の電極との間に接続されたスイッチトランジスタと、
データ線とゲート電極が接続され、前記スイッチトランジスタと前記第１の走査線との間に直列に挿入された選択トランジスタと、を有し、
前記第１の走査線駆動回路により前記第１の走査線の信号電位が変化するとき、前記第１の走査線の信号電位の反転電位と、前記第２の走査線駆動回路により供給される前記第２の走査線の信号電位とにより前記スイッチング素子を制御することで、前記スイッチング素子を介して前記電源線と前記第１の走査線を導通させ、且つ前記駆動トランジスタのゲート電位を前記電源線の電位と等しくすることを特徴とする表示装置。
【請求項６】
電源線と、
一端が第１の走査線駆動回路に接続された第１の走査線と、
一端が第２の走査線駆動回路に接続された第２の走査線と、
前記第１の走査線の他端に接続され、少なくとも１つのスイッチング素子を有する走査線補助回路と、を有し、
前記第１の走査線の信号電位と、前記第２の走査線駆動回路により供給される前記第２の走査線の信号電位とにより前記スイッチング素子を制御することで、前記スイッチング素子を介して前記電源線と前記第１の走査線を導通させることを特徴とする表示装置。
【請求項７】
電源線と、
一端が第１の走査線駆動回路に接続された第１の走査線と、
一端が第２の走査線駆動回路に接続された第２の走査線と、
前記第１の走査線の他端に接続され、少なくとも１つのスイッチング素子を有する走査線補助回路と、
電流供給線と発光素子の間に直列に接続された駆動トランジスタと、
一方の電極が前記駆動トランジスタのゲート電極と接続され、他方の電極が前記電流供給線と接続された保持容量と、
前記第１の走査線とゲート電極が接続され、前記電流供給線とソース電極又はドレイン電極の一方の電極が接続されたリセットトランジスタと、
前記第２の走査線とゲート電極が接続され、前記リセットトランジスタの他方の電極と前記保持容量の一方の電極との間に接続されたスイッチトランジスタと、
データ線とゲート電極が接続され、前記スイッチトランジスタと前記第１の走査線との間に直列に挿入された選択トランジスタと、を有し、
前記第１の走査線の信号電位と、前記第２の走査線駆動回路により供給される前記第２の走査線の信号電位とにより前記スイッチング素子を制御することで、前記スイッチング素子を介して前記電源線と前記第１の走査線を導通させ、且つ前記駆動トランジスタのゲート電位を前記電源線の電位と等しくすることを特徴とする表示装置。
【請求項８】
電源線と、
第１の走査線駆動回路と、
第２の走査線駆動回路と、
第１の走査線と、
第２の走査線と、
第１のトランジスタと、
第２のトランジスタと、
インバータと、を有し、
前記第１の走査線の一端は、前記第１の走査線駆動回路に接続され、
前記第１の走査線の他端は、前記インバータの入力端子に接続され、
前記第２の走査線の一端は、前記第２の走査線駆動回路に接続され、
前記第１のトランジスタのゲート電極は、前記インバータの出力端子に接続され、
前記第１のトランジスタのソース電極またはドレイン電極の一方は、前記第１の走査線の他端に接続され、
前記第２のトランジスタのゲート電極は、前記第２の走査線の一端または前記第２の走査線駆動回路に接続され、
前記第２のトランジスタのソース電極またはドレイン電極の一方は、前記第１のトランジスタのソース電極またはドレイン電極の他方に接続され、
前記第２のトランジスタのソース電極またはドレイン電極の他方は、前記電源線に接続されていることを特徴とする表示装置。
【請求項９】
電源線と、
第１の走査線駆動回路と、
第２の走査線駆動回路と、
第１の走査線と、
第２の走査線と、
第１のトランジスタと、
第２のトランジスタと、
インバータと、を有し、
前記第１の走査線の一端は、前記第１の走査線駆動回路に接続され、
前記第１の走査線の他端は、前記インバータの入力端子に接続され、
前記第２の走査線の一端は、前記第２の走査線駆動回路に接続され、
前記第１のトランジスタのゲート電極は、前記第２の走査線の一端または前記第２の走査線駆動回路に接続され、
前記第１のトランジスタのソース電極またはドレイン電極の一方は、前記第１の走査線の他端に接続され、
前記第２のトランジスタのゲート電極は、前記インバータの出力端子に接続され、
前記第２のトランジスタのソース電極またはドレイン電極の一方は、前記第１のトランジスタのソース電極またはドレイン電極の他方に接続され、
前記第２のトランジスタのソース電極またはドレイン電極の他方は、前記電源線に接続されていることを特徴とする表示装置。
【請求項１０】
電源線と、
一端が第１の走査線駆動回路に接続された第１の走査線と、
一端が第２の走査線駆動回路に接続された第２の走査線と、
前記第１の走査線の他端に接続され、少なくとも１つのスイッチング素子を有する走査線補助回路と、
電流供給線と発光素子の間に直列に接続された駆動トランジスタと、
データ線とゲート電極が接続され、前記第１の走査線とソース電極又はドレイン電極の一方が接続された選択トランジスタと、
前記第２の走査線とゲート電極が接続され、前記選択トランジスタのソース又はドレインの他方と前記駆動トランジスタのゲートとの間に接続されたスイッチトランジスタと、
を有し、
前記第１の走査線の信号電位と、前記第２の走査線駆動回路により供給される前記第２の走査線の信号電位とにより前記スイッチング素子を制御することで、前記スイッチング素子を介して前記電源線と前記第１の走査線を導通させ、且つ前記駆動トランジスタのゲート電位を前記電源線の電位と等しくすることを特徴とする表示装置。
【請求項１１】
請求項１０において、
前記第１の走査線の信号電位が反転するとき、前記スイッチング素子を制御することを特徴とする表示装置。
【請求項１２】
請求項３乃至請求項１１のいずれか一項において、
前記第１の走査線駆動回路により供給される信号電位と前記電源線の電位は等しいことを特徴とする表示装置。